(57)【特許請求の範囲】
【請求項１】
内燃機関（ＧＥ）の排気通路（１２）の排ガス浄化装置（１３）の下流位置にスターリングエンジン（ＳＥ）を配置し、排ガスの熱エネルギーで作動する前記スターリングエンジン（ＳＥ）で発電機（３４）を駆動する車両用電源装置であって、
前記スターリングエンジン（ＳＥ）は、パワーシリンダ（２２Ｈ）と、そのパワーシリンダ（２２Ｈ）に摺動自在に嵌合するパワーピストン（２３Ｈ）と、それらパワーシリンダ（２２Ｈ）及びパワーピストン（２３Ｈ）間に区画された容積可変の加熱室（２４Ｈ）とを有するパワーシリンダ装置（２１Ｈ）を備えていて、前記加熱室（２４Ｈ）が前記パワーシリンダ（２２Ｈ）を挟んで前記排気通路（１２）に臨んでいると共に、前記内燃機関（ＧＥ）の停止後も該スターリングエンジン（ＳＥ）が前記排気通路（１２）の余熱で作動して前記発電機（３４）を駆動するものにおいて、
前記パワーピストン（２３Ｈ）及び前記加熱室（２４Ｈ）の、シリンダ軸線（Ｌ）に直交する各断面形状は、前記排気通路（１２）の長手方向に沿って延びる長径（ＤＬ）と、同長手方向と直交する方向に延びる短径（ＤＳ）とを有する小判形に形成され、
前記内燃機関（ＧＥ）は車両の停止時にアイドルストップ可能であり、前記スターリングエンジン（ＳＥ）は前記アイドルストップ中に前記排気通路（１２）の余熱で作動して前記発電機（３４）を駆動することを特徴とする車両用電源装置。
【発明の詳細な説明】
【技術分野】
【０００１】
本発明は、内燃機関の排気通路の排ガス浄化装置の下流位置にスターリングエンジンを配置し、排ガスの熱エネルギーで作動する前記スターリングエンジンで発電機を駆動する車両用電源装置に関する。
【背景技術】
【０００２】
内燃機関の排気通路に設けた排ガス浄化装置の下流にγ型のスターリングエンジンのディスプレーサシリンダ装置の受熱部を臨ませ、このディスプレーサシリンダ装置と、それと協働するパワーシリンダ装置とによってクランクシャフトを回転させることで、排ガスの熱エネルギーを機械エネルギーに変換する内燃機関の排気熱エネルギー回収装置が、下記特許文献１により公知である。
【特許文献１】特開２００２−２６６７０１号公報
【発明の開示】
【発明が解決しようとする課題】
【０００３】
ところで、かかるスターリングエンジンを車両の走行用の駆動源である内燃機関の排ガスで作動させ、その出力で発電機を駆動して発電を行うことが考えられる。この場合、内燃機関が停止するとスターリングエンジンに対する排ガスの供給も停止するため、スターリングエンジンも停止することになる。
【０００４】
しかしながら、内燃機関が停止しても排気通路は余熱で暫くの間高温状態に維持されるため、その余熱を有効に利用することが望ましい。
【０００５】
本発明は前述の事情に鑑みてなされたもので、内燃機関の停止後の排気通路の余熱を有効に利用することを目的とする。
【課題を解決するための手段】
【０００６】
上記目的を達成するために、本発明によれば、内燃機関の排気通路の排ガス浄化装置の下流位置にスターリングエンジンを配置し、排ガスの熱エネルギーで作動する前記スターリングエンジンで発電機を駆動する車両用電源装置であって、前記スターリングエンジンは、パワーシリンダと、そのパワーシリンダに摺動自在に嵌合するパワーピストンと、それらパワーシリンダ及びパワーピストン間に区画された容積可変の加熱室とを有するパワーシリンダ装置を備えていて、前記加熱室が前記パワーシリンダを挟んで前記排気通路に臨んでいると共に、前記内燃機関の停止後も該スターリングエンジンが前記排気通路の余熱で作動して前記発電機を駆動するものにおいて、前記パワーピストン及び前記加熱室の、シリンダ軸線に直交する各断面形状は、前記排気通路の長手方向に沿って延びる長径と、同長手方向と直交する方向に延びる短径とを有する小判形に形成され、前記内燃機関は車両の停止時にアイドルストップ可能であり、前記スターリングエンジンは前記アイドルストップ中に前記排気通路の余熱で作動して前記発電機を駆動することを特徴とする車両用電源装置が提案される。
【０００７】
尚、実施の形態のガソリンエンジンＧＥは本発明の内燃機関に対応する。
【発明の効果】
【０００８】
本発明によれば、内燃機関の排気通路の排ガス浄化装置の下流位置に排ガスの熱エネルギーで作動するスターリングエンジンを配置し、このスターリングエンジンで発電機を駆動するものにおいて、スターリングエンジンを内燃機関の停止後も排気通路の余熱で作動させて発電機を駆動するので、内燃機関により駆動される発電機が作動不能な状態であっても発電を継続することが可能になるだけでなく、従来無駄に捨てられていた排気通路の余熱を有効に利用して電気エネルギーに変換することができる。
【０００９】
また内燃機関が車両の停止時にアイドルストップしている間もスターリングエンジンは排気通路の余熱で作動して発電機を駆動するので、バッテリに負担を掛けることなく、例えば内燃機関の再始動のためのスタータモータの駆動や、排気系を冷却するための電動ファンの駆動を行うことができる。
【００１０】
またスターリングエンジンのパワーシリンダ装置におけるパワーピストン及び加熱室の、シリンダ軸線に直交する各断面形状は、内燃機関の排気通路の長手方向に沿って延びる長径と、同長手方向と直交する方向に延びる短径とを有する小判形に形成されるので、パワーピストン及び加熱室が通常の円形断面のパワーシリンダ装置に比べて加熱室の断面積を増加させ、スターリングエンジンの出力を増加させることができる。尚、円形断面のパワーシリンダ装置を採用しても、それを複数、排気通路の長手方向に沿って配置すれば、トータルの受熱量を増加させることができるが、この場合には、部品点数が増加してコストアップ要因となるだけでなく、排ガスの流れ方向上流側に位置するパワーシリンダ装置と下流側に位置するパワーシリンダ装置とで受熱量が不均一になり、スターリングエンジン全体としての効率が低下する不具合があるところ、本発明では、パワーピストン及び加熱室の断面形状を上記のように形成したことで、上述した不具合が発生することはない。
【発明を実施するための最良の形態】
【００１１】
以下、本発明の第１の実施の形態を添付図面に基づいて説明する。
【００１２】
図１〜図５は本発明の第１の実施の形態を示すもので、図１はスターリングエンジンを備えたガソリンエンジンの全体構成図、図２は図１の２−２線拡大断面図、図３は図２の３−３線断面図、図４は図２の４−４線断面図、図５は図２の５−５線断面図、図６はＥＧＲ制御のフローチャートである。
【００１３】
図１に示すように、例えば自動車の走行用の駆動源であるガソリンエンジンＧＥは吸気通路１１および排気通路１２を備えており、排気通路１２には排ガスを浄化する触媒を担持する排ガス浄化装置１３が設けられる。排ガス浄化装置１３の直下流の排気通路１２の直径が拡大した拡径部分１２ａに、排ガス浄化装置１３を通過して温度上昇した排ガスの熱エネルギーを機械エネルギーとして回収するためのスターリングエンジンＳＥが設けられる。スターリングエンジンＳＥの下流の排気通路１２と吸気通路１１とが、排ガス（ＥＧＲガス）を還流させるためのＥＧＲ通路１４によって接続されており、ＥＧＲ通路１４の途中にＥＧＲガスの還流量を制御するＥＧＲ制御弁１５が設けられる。
【００１４】
ＥＧＲ通路１４には、ＥＧＲ制御弁１５の異常を判定するＥＧＲ制御弁異常判定手段１６と、ＥＧＲ通路１４の異常を判定するＥＧＲ通路異常判定手段１７とが設けられており、これらのＥＧＲ制御弁異常判定手段１６およびＥＧＲ通路異常判定手段１７が接続された電子制御ユニット１８は、スターリングエンジンＳＥの駆動および停止を制御する。
【００１５】
図２〜図５に示すように、本実施の形態のスターリングエンジンＳＥは、高温側パワーシリンダ装置２１Ｈと低温側パワーシリンダ装置２１Ｌとを備えた２ピストン型（α型）のものである。
【００１６】
高温側パワーシリンダ装置２１Ｈは、第１パワーシリンダ２２Ｈと、第１パワーシリンダ２２Ｈに摺動自在に嵌合する第１パワーピストン２３Ｈと、第１パワーシリンダ２２Ｈおよび第１パワーピストン２３Ｈ間に区画された容積可変の加熱室２４Ｈとを備える。第１パワーシリンダ２２Ｈ、第１パワーピストン２３Ｈおよび加熱室２４Ｈのシリンダ軸線Ｌに直交する断面形状は、長径ＤＬおよび短径ＤＳ（図５参照）を有する小判形（陸上競技のトラック形）である。
【００１７】
低温側パワーシリンダ装置２１Ｌは、第２パワーシリンダ２２Ｌと、第２パワーシリンダ２２Ｌに摺動自在に嵌合する第２パワーピストン２３Ｌと、第２パワーシリンダ２２Ｌおよび第２パワーピストン２３Ｌ間に区画された容積可変の冷却室２４Ｌとを備える。第２パワーシリンダ２２Ｌ、第２パワーピストン２３Ｌおよび冷却室２４Ｌのシリンダ軸線Ｌに直交する断面形状は、長径ＤＬおよび短径ＤＳ（図５参照）を有する小判形（陸上競技のトラック形）である。
【００１８】
加熱室２４Ｈおよび冷却室２４Ｌは複数の作動ガス通路２５…で相互に連通し、その内部に空気等の作動ガスが密封される。
【００１９】
高温側パワーシリンダ装置２１Ｈおよび低温側パワーシリンダ装置２１Ｌは実質的に同一構造を有して並置されており、高温側パワーシリンダ装置２１Ｈの加熱室２４Ｈは排気通路１２の拡径部分１２ａに臨んでいる。このとき、高温側パワーシリンダ装置２１Ｈは、加熱室２４Ｈの長径ＤＬの方向が排気通路１２の拡径部分１２ａの長手方向（排ガスの流れ方向）に沿い、かつ短径ＤＳが排気通路１２の拡径部分１２ａの径方向（排ガスの流れ方向に直交する方向）に沿うように配置される。また低温側パワーシリンダ装置２１Ｌの冷却室２４Ｌは、冷却水が流れる冷却水通路２６に臨んでいる。
【００２０】
高温側および低温側パワーシリンダ装置２１Ｈ，２１Ｌの駆動力を回転運動に変換するロンビック機構２７は、加熱室２４Ｈおよび冷却室２４Ｌの短径ＤＳの方向と平行に配置された第１、第２回転軸２８，２９と、第１、第２回転軸２８，２９にそれぞれ固定されて相互に噛合する第１、第２ギヤ３０，３１と、第１パワーピストン２３Ｈの下端のボス部２３ａを第１、第２回転軸２８，２９の第１クランク部３２Ｈ，３２Ｈに連結する２本の等長の第１リンク３３Ｈ，３３Ｈと、第２パワーピストン２３Ｌの下端のボス部２３ａを第１、第２回転軸２８，２９の第２クランク部３２Ｌ，３２Ｌに連結する２本の等長の第２リンク３３Ｌ，３３Ｌとで構成される。第１、第２回転軸２８，２９の一方、例えば第１回転軸２９に発電機３４が接続される。
【００２１】
高温側パワーシリンダ装置２１Ｈの第１パワーピストン２３Ｈの位相に対して、低温側パワーシリンダ装置２１Ｌの第２パワーピストン２３Ｌの位相が９０°遅れるように、第１リンク３３Ｈ，３３Ｈが第１クランク部３２Ｈ，３２Ｈに接続されるとともに、第２リンク３３Ｌ，３３Ｌが第２クランク部３２Ｌ，３２Ｌに接続される。即ち、第１パワーピストン２３Ｈが上死点に達した後、９０°の位相遅れを以て第２パワーピストン２３Ｌが上死点に達する。
【００２２】
次に、上記構成を備えた本発明の実施の形態の作用を説明する。
【００２３】
スターリングエンジンＳＥは第１、第２回転軸２８，２９が３６０°回転する間に、加熱行程、膨張行程、冷却行程および圧縮行程を行う。
【００２４】
第１、第２回転軸２８，２９の位相が０°から９０°までの加熱行程では、第１、第２回転軸２８，２９等の回転部分の慣性で、高温側パワーシリンダ装置２１Ｈの第１パワーピストン２３Ｈが図２に示す上死点から中間点まで下降し、低温側パワーシリンダ装置２１Ｌの第２パワーピストン２３Ｌが図２に示す中間点から上死点まで上昇する。その間、低温側パワーシリンダ装置２１Ｌの冷却室２４Ｌの作動ガスが作動ガス通路２５…を通過して高温側パワーシリンダ装置２１Ｈの加熱室２４Ｈに流入して高温の排ガスにより加熱され、加熱室２４Ｈおよび冷却室２４Ｌの圧力が増加する。
【００２５】
第１、第２回転軸２８，２９の位相が９０°から１８０°までのが膨張行程では、加熱室２４Ｈおよび冷却室２４Ｌの増加した圧力により、高温側パワーシリンダ装置２１Ｈの第１パワーピストン２３Ｈが中間点から下死点まで下降し、低温側パワーシリンダ装置２１Ｌの第２パワーピストン２３が上死点から中間点まで下降することで、スターリングエンジンＳＥは駆動力を発生する。
【００２６】
第１、第２回転軸２８，２９の位相が１８０°から２７０°までの冷却行程では、第１、第２回転軸２８，２９等の回転部分の慣性で、高温側パワーシリンダ装置２１Ｈの第１パワーピストン２３Ｈが下死点から中間点まで上昇し、低温側パワーシリンダ装置２１Ｌの第２パワーピストン２３Ｌが中間点から下死点まで下降する。その間、高温側パワーシリンダ装置２１Ｈの加熱室２４Ｈの作動ガスが作動ガス通路２５…を通過して低温側パワーシリンダ装置２１Ｌの冷却室２４Ｌに流入して低温の冷却水により冷却され、加熱室２４Ｈおよび冷却室２４Ｌの圧力が減少する。
【００２７】
第１、第２回転軸２８，２９の位相が２７０°から３６０°までの圧縮行程では、加熱室２４Ｈおよび冷却室２４Ｌの減少した圧力により、高温側パワーシリンダ装置２１Ｈの第１パワーピストン２３Ｈが中間点から上死点まで上昇し、低温側パワーシリンダ装置２１Ｌの第２パワーピストン２３Ｌが下死点から中間点まで上昇することで、スターリングエンジンＳＥは駆動力を発生する。
【００２８】
このようにして、第１パワーピストン２３Ｈおよび第２パワーピストン２３Ｌが９０°の位相差を以て上昇・下降すると、第１パワーピストン２３Ｈに第１リンク３３Ｈ，３３Ｈおよび第１クランク部３２Ｈ，３２Ｈを介して接続された第１、第２回転軸２８，２９が駆動され、かつ第２パワーピストン２３Ｌに第２リンク３３Ｌ，３３Ｌおよび第２クランク部３２Ｌ，３２Ｌを介して接続された第１、第２回転軸２８，２９が駆動される。このとき、第１、第２ギヤ３０，３１により連結された第１、第２回転軸２８，２９は相互に同位相で逆方向に回転するため、２本の第１リンク３３Ｈ，３３Ｈは相互に対称的な動きをし，かつ２本の第２リンク３３Ｌ，３３Ｌは相互に対称的な動きをする。
【００２９】
高温側および低温側パワーシリンダ装置２１Ｈ，２１Ｌは，作動ガスにオイルが混入するのを防止するためにオイルレスの潤滑を行っているが、第１、第２リンク３３Ｈ，３３Ｈ；３３Ｌ，３３Ｌが上述した相互に対称的な動きをすることで、第１、第２パワーピストン２３Ｈ，２３Ｌにサイドスラストが作用しないようにし、第１、第２パワーシリンダ２２Ｈ，２２Ｌとの摺動部の焼き付きを防止することができる。
【００３０】
ところで、スターリングエンジンＳＥの出力は、高温側パワーシリンダ装置２１Ｈの加熱室２４Ｈの受熱量が大きいほど大きくなり、前記受熱量は加熱室２４Ｈの断面積が大きいほど大きくなる。しかしながら、加熱室２４Ｈが臨む排気通路１２の拡径部分１２ａの直径を無制限に増加させることはできないため、制限された拡径部分１２ａの直径の範囲内で加熱室２４Ｈの断面積を増加させることが必要となる。
【００３１】
本実施の形態では、高温側パワーシリンダ装置２１Ｈの加熱室２４Ｈのシリンダ軸線Ｌに直交する断面形状を長径ＤＬおよび短径ＤＳを有する小判形とし、その長径ＤＬが排気通路１２の拡径部分１２ａの長手方向に沿うように配置したため、通常の円形断面の高温側パワーシリンダ装置に比べて加熱室の断面積を増加させ、スターリングエンジンＳＥの出力を増加させることができる。
【００３２】
尚、円形断面の高温側パワーシリンダ装置を採用しても、複数の高温側パワーシリンダ装置を排気通路１２の拡径部分１２ａに沿って配置すれば、トータルの受熱量を増加させることができる。しかしながら、この場合には部品点数が増加してコストアップの要因となるだけでなく、排ガスの流れ方向上流側に位置する高温側パワーシリンダ装置と下流側に位置する高温側パワーシリンダ装置とで受熱量が不均一になり、スターリングエンジンＳＥ全体としての効率が低下する問題がある。それに対し、本実施の形態では高温側パワーシリンダ装置２１Ｈの数は１個であるため、上述した不具合が発生することはない。
【００３３】
またロンビック機構２７は、第１、第２ギヤ３０，３１の配置方向の寸法が大きく、それと直交する方向（第１、第２ギヤ３０，３１の厚さ方向）の寸法が小さくなる。本実施の形態では、高温側パワーシリンダ装置２１Ｈの加熱室２４Ｈの長径ＤＬの方向と第１、第２ギヤ３０，３１の配置方向とを一致させたので、それと直交方向に第１、第２ギヤ３０，３１を配置する場合に比べて、高温側パワーシリンダ装置２１Ｈのシリンダ軸線Ｌ方向の投影面積内にロンビック機構２７を可及的に重ね合わせ、スターリングエンジンＳＥをコンパクト化することができる。
【００３４】
ところで、ガソリンエンジンＧＥでは、ＥＧＲガスを冷却して吸気系に還流させることで排ガスの性状が改善されることが知られている。
【００３５】
本実施の形態では、排気通路１２におけるスターリングエンジンＳＥの下流位置にＥＧＲ通路１４の上流端を接続したので、ＥＧＲガスを冷却する特別のガスクーラを設けることなく、スターリングエンジンＳＥの加熱室２４Ｈの作動ガスとの間の熱交換によりＥＧＲガスを冷却することが可能になり、ガスクーラを廃止してコストを削減しながら排ガスの性状を改善することができる。
【００３６】
また電子制御ユニット１８はＥＧＲ制御弁異常判定手段１６およびＥＧＲ通路異常判定手段１７からの信号に基づいてＥＧＲ装置の異常を判定しているが、スターリングエンジンＳＥが作動するとＥＧＲガスの温度が低下するため、電子制御ユニット１８によるＥＧＲ装置の異常判定を精度良く行えなくなる可能性がある。そこで本実施の形態では、以下のような対策を講じている。
【００３７】
図６のフローチャートにおいて、先ずステップＳ１でスターリングエンジンＳＥの受熱部である加熱室２４Ｈの温度を図示せぬ温度センサの出力に基づいて検出もしくは推定する。尚、前記温度センサを用いる代わりに、ガソリンエンジンＧＥの始動からの経過時間、ガソリンエンジンＧＥの冷却水温、ガソリンエンジンＧＥの始動後の積算吸入空気量、ガソリンエンジンＧＥの始動後の積算燃料噴射量、ガソリンエンジンＧＥの排ガス温度等に基づいて受熱部の温度を推定しても良い。
【００３８】
続いてステップＳ２でＥＧＲ制御弁異常判定手段１６により、ＥＧＲガスの流量に基づいてＥＧＲ制御弁１５の故障を検知するとともに、ステップＳ３で排気通路１２の空燃比に基づいてＥＧＲ通路１４の故障（ＥＧＲガスの漏れ）を検知する。
【００３９】
そしてステップＳ４でスターリングエンジンＳＥの受熱部の温度が判定値よりも高く、スターリングエンジンＳＥが作動可能な状態にあり、かつステップＳ５でＥＧＲ制御弁１５が正常であり、かつステップＳ６でＥＧＲ通路１４が正常であるとき、ステップＳ７でスターリングエンジンＳＥを始動する。
【００４０】
このように、ＥＧＲ制御弁１５およびＥＧＲ通路１４の異常判定を完了した後にスターリングエンジンＳＥを始動するので、スターリングエンジンＳＥを始動により排ガスの温度が低下してＥＧＲ制御弁１５およびＥＧＲ通路１４の異常判定が精度良く行えなくなる不都合を回避することができる。
【００４１】
スターリングエンジンＳＥの第１回転軸２８には発電機３４が接続されているため、ガソリンエンジンＧＥの排ガスの熱エネルギーをスターリングエンジンＳＥで機械エネルギーに変換した後、その機械エネルギーで発電機３４を駆動して電気エネルギーに変換することができる。ガソリンエンジンＧＥが停止しても、排気通路１２の温度は余熱で即座に低下せず、暫くの間高温状態に維持されるため、その間もスターリングエンジンＳＥを継続的に作動させて発電を行うことができ、排ガスの熱エネルギーを有効に回収することができる。
【００４２】
特に、ガソリンエンジンＧＥをアイドルストップ可能に構成すれば、信号待ち等でガソリンＧＥが停止した場合にも、スターリングエンジンＳＥは停止することなく運転を継続するため、発電機３４を継続的に作動させることができる。これにより、アイドルストップしたガソリンエンジンＧＥを発電機３４の発電電力で再始動したり、ガソリンエンジンＧＥの停止中であっても、バッテリの電力を消費することなく電動ファンを駆動して排気系を冷却するための冷却風を供給することができる。
【００４３】
図７〜図９は本発明の第２の実施の形態を示すもので、図７は前記図２に対応する図、図８は図７の８−８線断面図、図９は図７の９−９線断面図である。
【００４４】
第１の実施の形態のスターリングエンジンＳＥは、高温側および低温側パワーシリンダ装置２１Ｈ，２１Ｌが第１、第２回転軸２８，２９の軸線方向に並置されているが、第２の実施の形態のスターリングエンジンＳＥは、高温側および低温側パワーシリンダ装置２１Ｈ，２１Ｌが第１、第２回転軸２８，２９を挟んで相互に対向するように配置されている。
【００４５】
第２の実施の形態によれば、第１の実施の形態のレイアウトに比べてスターリングエンジンＳＥの高温側パワーシリンダ装置２１Ｈのシリンダ軸線Ｌ方向の寸法は大型化するが、シリンダ軸線Ｌ方向に直交する方向（第１、第２回転軸２８，２９の方向）の寸法を小型化することができる。
【００４６】
以上、本発明の実施の形態を詳述したが、本発明はその要旨を逸脱しない範囲で種々の設計変更を行うことが可能である。
【００４７】
例えば、実施の形態では低温側パワーシリンダ装置２１Ｌの冷却室２４Ｌの断面形状を小判形にしているが、その断面形状は長径ＤＬおよび短径ＤＳを有するものであれば、楕円形や、角を丸めた長方形であっても良い。
【００４８】
また実施の形態ではα型のスターリングエンジンＳＥを例示したが、本発明はβ型あるいはγ型のスターリングエンジンに対しても適用することができる。
【００４９】
ディスプレーサピストンおよびパワーピストンを同軸に配置したβ型のスターリングエンジンを採用した場合や、ディスプレーサピストンおよびパワーピストンを別軸に配置したγ型のスターリングエンジンを採用した場合には、ディスプレーサピストンの頂面が臨む加熱室を長径ＤＬおよび短径ＤＳを有する小判形等にすれば良い。
【００５０】
また実施の形態ではスターリングエンジンＳＥの熱源がガソリンエンジンＧＥの排ガスであるが、その他のエンジンの排ガスであっても良い。
【図面の簡単な説明】
【００５１】
【図１】第１の実施の形態のスターリングエンジンを備えたガソリンエンジンの全体構成図
【図２】図１の２−２線拡大断面図
【図３】図２の３−３線断面図
【図４】図２の４−４線断面図
【図５】図２の５−５線断面図
【図６】ＥＧＲ制御のフローチャート
【図７】第２の実施の形態のスターリングエンジンの、前記図２に対応する図
【図８】図７の８−８線断面図
【図９】図７の９−９線断面図
【符号の説明】
【００５２】
１２        排気通路
１３        排ガス浄化装置
３４        発電機
ＧＥ        ガソリンエンジン（内燃機関）
ＳＥ        スターリングエンジン
【図１】
0005078627.tif 000002
【図２】
0005078627.tif 000003
【図３】
0005078627.tif 000004
【図４】
0005078627.tif 000005
【図５】
0005078627.tif 000006
【図６】
0005078627.tif 000007
【図７】
0005078627.tif 000008
【図８】
0005078627.tif 000009
【図９】
0005078627.tif 000010